(57)【要約】  空気調和機において、空気清浄装置（２００）は、空気中の粒子を帯電させる荷電部（２１０）と、静電気力によって、荷電部（２１０）で帯電した粒子を集める集塵部（２２０）とを備える。フィルター清掃装置（３００）は、空気中の塵埃を捕らえるフィルター（１４０）を移動自在に収納する装置本体（３１０）を備え、装置本体（３１０）の一部が、空気清浄装置（２００）を支持する支持部を形成する。室内機本体（１１０）は、フィルター清掃装置（３００）を収納するとともに、空気清浄装置（２００）を支持部により支持して収納する。
2016143010.tif 000002
【特許請求の範囲】
【請求項１】
空気中の粒子を帯電させる荷電部と、静電気力によって、前記荷電部で帯電した粒子を集める集塵部とを備える空気清浄装置と、
空気中の塵埃を捕らえるフィルターを移動自在に収納する装置本体を備え、前記装置本体の一部が、前記空気清浄装置を支持する支持部を形成するフィルター清掃装置と、
前記フィルター清掃装置を収納するとともに、前記空気清浄装置を前記支持部により支持して収納する室内機本体と
を備える空気調和機。
【請求項２】
空気と冷媒との間で熱交換を行う熱交換器
をさらに備え、
前記支持部は、前記装置本体の前面から前記熱交換器に向かって延びつつ、前記熱交換器とは非接触である請求項１に記載の空気調和機。
【請求項３】
前記室内機本体は、前記空気清浄装置を着脱自在に収納し、
前記空気調和機は、
前記空気清浄装置と前記熱交換器との接触を防止するために、前記空気清浄装置が前記室内機本体の奥行き方向に進入できる範囲を制限する制限部
をさらに備える請求項２に記載の空気調和機。
【請求項４】
前記室内機本体は、前記空気清浄装置を着脱自在に収納し、
前記空気調和機は、
前記空気清浄装置が前記室内機本体の左右方向に移動できる範囲を、前記フィルターが前記室内機本体の左右方向に移動できる範囲と同じ範囲に制限する制限部
をさらに備える請求項２に記載の空気調和機。
【請求項５】
前記空気清浄装置の左右方向の大きさは、前記フィルターの左右方向の大きさと同じである請求項４に記載の空気調和機。
【請求項６】
前記フィルター清掃装置は、さらに、前記装置本体の前面に着脱自在に取り付けられ、前記フィルターにより捕らえられた塵埃を貯めるダストボックスを備え、
前記室内機本体は、前記空気清浄装置を前記ダストボックスの後ろに収納する請求項１に記載の空気調和機。
【請求項７】
前記室内機本体は、前記空気清浄装置を着脱自在に収納し、
前記フィルター清掃装置には、前記空気清浄装置と前記ダストボックスとの両方が挿入される挿入口が設けられる請求項６に記載の空気調和機。
【請求項８】
前記支持部は、前記挿入口の左端又は右端から、前記室内機本体の奥行き方向に進んだ位置までの範囲に配置される請求項７に記載の空気調和機。
【請求項９】
前記空気清浄装置は、前記空気清浄装置の長手方向が水平になる向きで前記挿入口に挿入される請求項７又は８に記載の空気調和機。
【請求項１０】
前記装置本体の別の一部は、前記ダストボックスを支持する主受け部を形成し、
前記支持部は、前記主受け部に隣接し、前記主受け部とともに前記ダストボックスを支持する補助受け部を有し、
前記主受け部及び前記補助受け部の上面は、前記挿入口の下側の壁面を形成する請求項７から９のいずれか１項に記載の空気調和機。
【請求項１１】
前記主受け部の上面を側方から見たときの稜線と、前記補助受け部の上面を側方から見たときの稜線は、形状が同じである請求項１０に記載の空気調和機。
【請求項１２】
前記静電気力を発生させるための電圧を前記集塵部に印加する電源部
をさらに備え、
前記フィルター清掃装置は、前記室内機本体の左右両側に設けられ、
前記空気清浄装置は、左側のフィルター清掃装置の右端と右側のフィルター清掃装置の左端とのいずれかで保持され、
前記電源部は、前記室内機本体の左右方向の中央に配置される請求項１から１１のいずれか１項に記載の空気調和機。
【請求項１３】
前記静電気力を発生させるための電圧を前記集塵部に印加する電源部
をさらに備え、
前記フィルター清掃装置は、前記室内機本体の左右両側に設けられ、
前記空気清浄装置は、左側のフィルター清掃装置の左端で保持され、
前記電源部は、前記室内機本体の左端に配置される請求項１から１１のいずれか１項に記載の空気調和機。
【請求項１４】
前記静電気力を発生させるための電圧を前記集塵部に印加する電源部
をさらに備え、
前記フィルター清掃装置は、前記室内機本体の左右両側に設けられ、
前記空気清浄装置は、右側のフィルター清掃装置の右端で保持され、
前記電源部は、前記室内機本体の右端に配置される請求項１から１１のいずれか１項に記載の空気調和機。
【発明の詳細な説明】
【技術分野】
【０００１】
本発明は、空気調和機に関するものである。
【背景技術】
【０００２】
放電装置が吸い込み口と熱交換器との間に設置された空気調和機がある（例えば、特許文献１参照）。放電装置は、空気中の微粒子を帯電させる装置である。【０００３】
電気集塵機が吸い込み口と熱交換器との間に設置された空気調和機もある（例えば、特許文献２から特許文献４参照）。電気集塵機は、空気清浄装置とも呼ばれる。電気集塵機は、空気中の微粒子を帯電させてから、静電気力によって、その微粒子を集塵する装置である。
【先行技術文献】
【特許文献】
【０００４】
【特許文献１】特開２０１４−４１７５４号公報
【特許文献２】特開２００５−７４３８９号公報
【特許文献３】特開２０００−２１８１９２号公報
【特許文献４】特開平６−２７２８８８号公報
【発明の概要】
【発明が解決しようとする課題】
【０００５】
従来の電気集塵機（特に、特許文献２参照）は、荷電部と、集塵部とを有する。荷電部は、高圧電位の放電電極と、アース電位の対向電極とを有し、通過する空気中の微粒子に電荷を与える。集塵部は、高圧電位の高圧電極と、アース電位の対向電極とを有し、発生した静電気力の吸引力により上記微粒子を集塵する。【０００６】
集塵部の高圧電極は、縦長の板状部材である多数の電極から構成される。これら多数の電極は、左右方向に一定の間隔を保持して設けられる。集塵部の対向電極も、縦長の板状部材である多数の電極から構成される。これら多数の電極は、集塵部の対向電極と所定の間隔で交互に配置されるように左右方向に配列される。【０００７】
上記「所定の間隔」が不均一であるという課題がある。【０００８】
従来の電気集塵機は、電源部品を有する。従来の電気集塵機は、さらに、集塵部を電源部品と電気的に接続する１対の端子を有する。【０００９】
電源部品と端子とを収納するために大きなスペースが必要なため、電気集塵機の小型化が困難であるという課題がある。【００１０】
電気集塵機が着脱可能でないか、或いは、電気集塵機と室内機との電気的接続に手間がかかるため、電気集塵機の着脱が簡単ではないという課題もある。【００１１】
電源部品が風路内に位置するため、空気調和機の効率が下がるという課題もある。【００１２】
従来の電気集塵機（特に、特許文献４参照）は、室内機に設けられた熱交換器の上等、熱交換器の近くに配置される。【００１３】
そのため、電気集塵機に結露が発生するおそれがあるという課題がある。電気集塵機が空気の流れを妨げるという課題もある。【００１４】
本発明は、空気清浄装置を熱交換器から離して設置することを目的とする。
【課題を解決するための手段】
【００１５】
本発明の一の態様に係る空気調和機は、
空気中の粒子を帯電させる荷電部と、静電気力によって、前記荷電部で帯電した粒子を集める集塵部とを備える空気清浄装置と、
空気中の塵埃を捕らえるフィルターを移動自在に収納する装置本体を備え、前記装置本体の一部が、前記空気清浄装置を支持する支持部を形成するフィルター清掃装置と、
前記フィルター清掃装置を収納するとともに、前記空気清浄装置を前記支持部により支持して収納する室内機本体とを備える。
【発明の効果】
【００１６】
本発明では、空気清浄装置がフィルター清掃装置の装置本体の一部により支持される。したがって、空気清浄装置を熱交換器から離して設置することができる。
【図面の簡単な説明】
【００１７】
【図１】実施の形態１に係る空気調和機の室内機の断面図。
【図２】実施の形態１に係る空気調和機の空気清浄装置の斜視図。
【図３】実施の形態１に係る空気調和機の空気清浄装置の斜視図。
【図４】実施の形態１に係る空気調和機の空気清浄装置の底面図。
【図５】実施の形態１に係る空気調和機の空気清浄装置のＡ−Ａ断面図。
【図６】実施の形態１に係る空気調和機の空気清浄装置の分解斜視図。
【図７】実施の形態１に係る空気調和機の、上枠が取り外された空気清浄装置を示した平面図。
【図８】実施の形態１に係る空気調和機の空気清浄装置の下枠の平面図。
【図９】実施の形態１に係る空気調和機のフィルター清掃装置の斜視図。
【図１０】実施の形態１に係る空気調和機の、片側のダストボックスが取り外されたフィルター清掃装置を示した斜視図。
【図１１】実施の形態１に係る空気調和機の電源部と支持部との斜視図。
【図１２】実施の形態１に係る空気調和機の電源部と支持部との分解Ｂ−Ｂ断面図。
【図１３】実施の形態１に係る空気調和機の電源部と支持部との分解斜視図。
【図１４】実施の形態１に係る空気調和機の空気清浄装置及び電源部の、電気的に接続される直前の端子及び周辺部分を示した斜視図。
【図１５】実施の形態１に係る空気調和機のフィルター清掃装置の分解斜視図。
【図１６】実施の形態１に係る空気調和機のフィルター清掃装置のダストボックスの斜視図。
【図１７】実施の形態１に係る空気調和機のフィルター清掃装置のダストボックスの斜視図。
【図１８】実施の形態１に係る空気調和機のフィルター清掃装置のダストボックスの斜視図。
【図１９】実施の形態１に係る空気調和機のフィルター清掃装置のダストボックスの断面図。
【図２０】実施の形態１に係る空気調和機のフィルター清掃装置のダストボックスの断面図。
【図２１】実施の形態１に係る空気調和機のフィルター清掃装置のダストボックスの断面図。
【図２２】実施の形態１に係る空気調和機のフィルター清掃装置のダストボックスの断面図。
【図２３】実施の形態１に係る空気調和機のフィルター清掃装置のダストボックスを切断してダストボックスの下部のみを示した斜視図。
【発明を実施するための形態】
【００１８】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、装置、器具、部品等の構成について、その材質、形状、大きさ等は、本発明の範囲内で適宜変更することができる。
【００１９】
実施の形態１．
本実施の形態に係る機器の構成、本実施の形態に係る機器の動作を順番に説明する。その後、本実施の形態の詳細、本実施の形態の効果を順番に説明する。
【００２０】
＊＊＊構成の説明＊＊＊
図１を参照して、本実施の形態に係る機器である空気調和機の室内機１００の構成を説明する。
【００２１】
図１に示すように、空気調和機の室内機１００は、室内機本体１１０と、送風ファン１２０と、熱交換器１３１，１３２，１３３と、フィルター１４０と、前面パネル１５０と、上下風向可変ベーン１６０と、空気清浄装置２００と、フィルター清掃装置３００とを備える。
【００２２】
室内機本体１１０は、空気調和機の枠体である。室内機本体１１０は、送風ファン１２０と、熱交換器１３１，１３２，１３３と、フィルター１４０と、空気清浄装置２００と、フィルター清掃装置３００とを収納する。本実施の形態において、室内機本体１１０は、フィルター１４０と、空気清浄装置２００とを着脱自在に収納する。
【００２３】
室内機本体１１０の前面には、前面パネル１５０が開閉自在に取り付けられる。室内機本体１１０の上面側には、空気調和機の室内機１００が据え付けられる室内から空気を吸い込むための吸い込み口１１１が設けられる。室内機本体１１０の下面側には、その室内に空気を吹き出すための吹き出し口１１２が設けられる。吹き出し口１１２には、上下風向可変ベーン１６０が回転自在に取り付けられる。図示していないが、吹き出し口１１２の奥には、左右風向可変ベーンも回転自在に取り付けられる。
【００２４】
上下風向可変ベーン１６０は、吹き出し口１１２から吹き出す気流の上下の向きを調節する。左右風向可変ベーンは、吹き出し口１１２から吹き出す気流の左右の向きを調節する。
【００２５】
送風ファン１２０は、室内機本体１１０の内部に設置される。送風ファン１２０は、空気を吸い込むとともに、吸い込んだ空気を吹き出す。本実施の形態において、送風ファン１２０は、クロスフローファンである。なお、送風ファン１２０を複数のプロペラファンに変更することもできる。複数のプロペラファンは、室内機本体１１０の左右方向に並べて配置される。プロペラファンの数は、２〜４個が望ましい。それぞれのプロペラファンは、軸流ファンでもよいし、斜流ファンでもよい。
【００２６】
熱交換器１３１，１３２，１３３は、送風ファン１２０が形成する風路内に配置される。熱交換器１３１は、上段と下段とに分割された熱交換器の上段に該当する部分である。熱交換器１３１は、前面側と背面側とに分割された熱交換器の前面側に該当する部分でもある。熱交換器１３２は、上段と下段とに分割された熱交換器の下段に該当する部分である。熱交換器１３３は、前面側と背面側とに分割された熱交換器の背面側に該当する部分である。本実施の形態では、このような前面側上段の熱交換器１３１と、前面側下段の熱交換器１３２と、背面側の熱交換器１３３とが、室内機本体１１０の吸い込み口１１１から吹き出し口１１２に至る風路において送風ファン１２０を取り囲むように配置される。なお、背面側の熱交換器１３３を省略し、上段及び下段の熱交換器１３１，１３２のみを採用してもよい。或いは、その他の構成の熱交換器を採用してもよい。
【００２７】
前面側上段の熱交換器１３１と、前面側下段の熱交換器１３２と、背面側の熱交換器１３３は、それぞれ空気と冷媒との間で熱交換を行う。この空気は、主に、送風ファン１２０によって吸い込み口１１１から吸い込まれたものである。前面側上段の熱交換器１３１と、前面側下段の熱交換器１３２と、背面側の熱交換器１３３は、それぞれ熱交換を行うことで空気の冷却又は加熱又は除湿を行う。
【００２８】
前面側下段の熱交換器１３２の下方には、結露水を回収するためのドレンパン１１３が配置される。背面側の熱交換器１３３の下方にも、ドレンパン１１４が配置される。ドレンパン１１３，１１４は、室内機本体１１０の一部として形成される。
【００２９】
フィルター１４０は、室内機本体１１０の吸い込み口１１１と前面側上段及び背面側の熱交換器１３１，１３３との間で、吸い込み口１１１の全体を覆うように配置される。本実施の形態において、フィルター１４０の枚数は、２枚である。フィルター１４０は、左右に分けて配置される。それぞれのフィルター１４０は、空気中の塵埃を捕らえる。この空気は、主に、送風ファン１２０によって吸い込み口１１１から吸い込まれたものである。
【００３０】
フィルター清掃装置３００は、前面側上段及び前面側下段の熱交換器１３１，１３２と前面パネル１５０との間に配置される。フィルター清掃装置３００は、フィルター１４０ごとに設置される。よって、本実施の形態において、フィルター清掃装置３００の台数は、２台である。フィルター清掃装置３００は、フィルター１４０を自動的に清掃する。
【００３１】
フィルター１４０の枚数は、適宜変更することができる。フィルター清掃装置３００の台数は、フィルター１４０の枚数に応じて変更することができる。即ち、１枚のフィルター１４０のみが使用される場合には、１台のフィルター清掃装置３００が設置される。３枚以上のフィルター１４０が使用される場合には、３台以上のフィルター清掃装置３００が設置される。
【００３２】
フィルター清掃装置３００は、装置本体３１０と、ダストボックス３２０とを備える。
【００３３】
装置本体３１０は、フィルター１４０を移動自在に収納する。
【００３４】
ダストボックス３２０は、装置本体３１０の前面に着脱自在に取り付けられる。ダストボックス３２０は、フィルター１４０により捕らえられた塵埃を貯める。
【００３５】
室内機本体１１０は、空気清浄装置２００をダストボックス３２０の後ろに収納する。そのため、装置本体３１０の前面には、空気清浄装置２００とダストボックス３２０との両方が挿入される挿入口３１１が設けられる。空気清浄装置２００は、空気清浄装置２００の長手方向が水平になる向きで挿入口３１１に挿入される。空気清浄装置２００は、挿入口３１１に挿入された後、下向きに動かされることで、後述する給電用の端子に電気的に接続され、室内機本体１１０に装着された状態になる。この状態においても、空気清浄装置２００は、空気清浄装置２００の長手方向が水平になる向きになっている。空気清浄装置２００は、上向きに動かされることで端子との電気的接続が解除される。空気清浄装置２００は、電気的接続が解除された後、挿入口３１１から室内機本体１１０の外に取り出される。
【００３６】
空気清浄装置２００は、室内機本体１１０の吸い込み口１１１と前面側上段及び前面側下段の熱交換器１３１，１３２との間の空間に設置される。即ち、空気清浄装置２００は、送風ファン１２０が形成する風路内において、前面側上段及び前面側下段の熱交換器１３１，１３２の上流側に配置される。本実施の形態において、空気清浄装置２００の台数は、１台である。空気清浄装置２００は、左側のみに設置される。空気清浄装置２００は、フィルター１４０を通過した空気を清浄化する。空気清浄装置２００の左右方向の大きさは、フィルター１４０の左右方向の大きさと同じであることが望ましい。なお、空気清浄装置２００の左右方向の大きさとフィルター１４０の左右方向の大きさとの差が６センチメートル以内であれば、大きさが同じであると言える。
【００３７】
空気清浄装置２００の台数は、適宜変更することができる。空気清浄装置２００は、左右両側に設置されてもよい。
【００３８】
本実施の形態において、室内機本体１１０は、空気清浄装置２００の高さ方向の中心位置を上段の熱交換器１３１と下段の熱交換器１３２との接続部１３４よりも低い位置にして空気清浄装置２００を収納する。このため、空気清浄装置２００が空気の流れを妨げにくい。また、空気清浄装置２００を着脱しやすい。なお、空気清浄装置２００の高さ方向とは、空気清浄装置２００の上下方向のことである。
【００３９】
室内機本体１１０は、空気清浄装置２００を熱交換器１３１，１３２の手前に、熱交換器１３１，１３２から離して収納する。このため、空気清浄装置２００の、後述する端子等の金属部分が冷えにくい。また、空気清浄装置２００に熱交換器１３１，１３２の結露水が流れてこない。よって、空気清浄装置２００に結露が発生しにくい。
【００４０】
本実施の形態において、空気調和機の室内機１００は、さらに、制限部１７０を備える。
【００４１】
制限部１７０は、空気清浄装置２００と熱交換器１３１，１３２との接触を防止するために、空気清浄装置２００が室内機本体１１０の奥行き方向に進入できる範囲を制限する。なお、室内機本体１１０の奥行き方向とは、室内機本体１１０の前後方向のことである。
【００４２】
空気清浄装置２００は、荷電部２１０と、集塵部２２０と、枠部２３０とを備える。
【００４３】
荷電部２１０は、空気中の粒子を帯電させる。この空気は、主に、送風ファン１２０によって吸い込み口１１１から吸い込まれた後、フィルター１４０を通過したものである。空気中の粒子とは、具体的には、空気中に存在する細菌、かび、ウイルス等のことである。
【００４４】
集塵部２２０は、静電気力によって、荷電部２１０で帯電した粒子を集める。静電気力とは、電界又は電場のことである。
【００４５】
枠部２３０は、荷電部２１０を固定するとともに、集塵部２２０を固定する。
【００４６】
＊＊＊動作の説明＊＊＊
本実施の形態に係る空気調和機の動作について説明する。
【００４７】
図示していないが、電源が投入されると、空気調和機の室外機において、圧縮機が冷媒を圧縮して吐出する。
【００４８】
空気調和機の室内機１００では、圧縮機から吐出された冷媒が熱交換器１３１，１３２，１３３に流れる。送風ファン１２０が回転すると、吸い込み口１１１から吸い込まれた室内空気は、フィルター１４０を介して塵埃が除去された後、熱交換器１３１，１３２，１３３によって冷媒と熱交換される。このとき、熱交換器１３１，１３２，１３３を、その上流から下流に向かって通過する空気は、空気清浄装置２００によって清浄化される。
【００４９】
熱交換器１３１，１３２，１３３で熱交換された室内空気は、吹き出し口１１２から室内へ吹き出される。このとき、上下風向可変ベーン１６０及び左右風向可変ベーンの角度に応じた方向に空気が吹き出される。空気調和機の使用者は、上下風向可変ベーン１６０及び左右風向可変ベーンの角度を手動又はリモートコントローラにて設定することができる。図示していないが、空気調和機の室内機１００が赤外線センサを備えている場合は、空気調和機の室内機１００が室内の温度分布、人の位置等を検出することにより、自動的に上下風向可変ベーン１６０及び左右風向可変ベーンの角度を調節することもできる。
【００５０】
上記の一連の動作が繰り返され、その結果、室内空気は、塵埃が除去され、継続的に冷やされたり、暖められたりする。これにより、室内空気質が変化する。
【００５１】
＊＊＊詳細の説明＊＊＊
本実施の形態の詳細について説明する。
【００５２】
図２から図８を参照して、空気清浄装置２００の構成について説明する。
【００５３】
図２は、空気清浄装置２００を前面側の斜め上から見た図である。図３は、空気清浄装置２００を前面側の斜め下から見た図である。図４は、空気清浄装置２００を真下から見た図である。図５は、空気清浄装置２００を図４のＡ−Ａ線で切断した断面を示した図である。図６は、分解された空気清浄装置２００を前面側の斜め上から見た図である。図７で、後述する上枠２３１が取り外された空気清浄装置２００を真上から見た図である。図８は、後述する下枠２３２のみを真上から見た図である。
【００５４】
前述したように、空気清浄装置２００は、荷電部２１０と、集塵部２２０と、枠部２３０とを備える。空気清浄装置２００は、さらに、プレフィルター２４０を備える。
【００５５】
プレフィルター２４０は、フィルター１４０で捕らえられなかった塵埃を捕らえる。
【００５６】
荷電部２１０は、プレフィルター２４０の下方、即ち、プレフィルター２４０よりも下流側に配置される。荷電部２１０は、放電電極２１１と、対向電極２１２とを有する。
【００５７】
放電電極２１１は、１対のリング状端子２１３と、１対のチューブ２１４と、１本のワイヤー２１５から構成される。リング状端子２１３は、ワイヤー２１５の両端に接続される。チューブ２１４は、リング状端子２１３とワイヤー２１５との接続箇所に被せられる。一方のリング状端子２１３には、バネ２１６が引っ掛けられる。
【００５８】
対向電極２１２は、複数の平板状電極２１７から構成される。複数の平板状電極２１７は、互いに間隔を空けて第３方向Ｄ３に並ぶ。第３方向Ｄ３については、後述する。隣り合う平板状電極２１７の間をワイヤー２１５が通る。本実施の形態において、平板状電極２１７の枚数は、３枚である。そのため、ワイヤー２１５は、第３方向Ｄ３の一端の平板状電極２１７と第３方向Ｄ３の中間の平板状電極２１７との間を通ってから折り返し、第３方向Ｄ３の中間の平板状電極２１７と第３方向Ｄ３の他端の平板状電極２１７との間を通る。
【００５９】
なお、平板状電極２１７の枚数は、適宜変更することができる。ワイヤー２１５の折り返し回数は、平板状電極２１７の枚数に応じて変更することができる。
【００６０】
荷電部２１０は、異なる電圧を放電電極２１１と対向電極２１２とに印加することで電界を発生させる。荷電部２１０は、この電界を通過する空気中の粒子を帯電させる。
【００６１】
放電電極２１１に印加される電圧は、高圧である。具体的には、６０００ボルトの電圧が放電電極２１１に印加される。対向電極２１２に印加される電圧は、低圧である。具体的には、０ボルトの電圧が対向電極２１２に印加される。即ち、対向電極２１２は接地される。
【００６２】
集塵部２２０は、荷電部２１０の下方、即ち、荷電部２１０よりも下流側に配置される。集塵部２２０は、第１電極２２１と、第２電極２２２とを有する。
【００６３】
第１電極２２１には、複数の第１板状電極２２３と、第１連結部材２２５とが設けられる。複数の第１板状電極２２３は、互いに間隔を空けて第１方向Ｄ１に並ぶ。本実施の形態において、第１方向Ｄ１は、空気清浄装置２００の左右方向である。空気清浄装置２００が室内機本体１１０に収納されたとき、空気清浄装置２００の左右方向は、室内機本体１１０の左右方向と一致する。本実施の形態において、第１板状電極２２３の枚数は、３７枚である。第１連結部材２２５は、複数の第１板状電極２２３を連結する。これにより、第１電極２２１において、複数の第１板状電極２２３が一体に設けられていることになる。
【００６４】
第１電極２２１の第１方向Ｄ１の一端には、第１端子２２７が取り付けられる。具体的には、第１電極２２１の右端に第１端子２２７が取り付けられる。
【００６５】
第２電極２２２には、複数の第２板状電極２２４と、第２連結部材２２６とが設けられる。複数の第２板状電極２２４は、複数の第１板状電極２２３と間隔を空けて交互に並ぶ。即ち、複数の第２板状電極２２４は、複数の第１板状電極２２３と同じように、互いに間隔を空けて第１方向Ｄ１に並ぶ。本実施の形態において、第２板状電極２２４の枚数は、複数の第１板状電極２２３よりも１枚多く、３８枚である。第２連結部材２２６は、複数の第２板状電極２２４を連結する。これにより、第２電極２２２において、複数の第２板状電極２２４が一体に設けられていることになる。第２連結部材２２６は、第１連結部材２２５と第２方向Ｄ２に重なる。第２方向Ｄ２は、第１方向Ｄ１に直交する方向である。本実施の形態において、第２方向Ｄ２は、空気清浄装置２００の上下方向である。空気清浄装置２００が室内機本体１１０に収納されたとき、空気清浄装置２００の上下方向は、室内機本体１１０の上下方向と一致する。
【００６６】
第２電極２２２の第１方向Ｄ１の一端には、第２端子２２８が取り付けられる。具体的には、第２電極２２２の右端に第２端子２２８が取り付けられる。第２端子２２８は、第１端子２２７から第３方向Ｄ３に離れた位置に取り付けられる。第３方向Ｄ３は、第１方向Ｄ１及び第２方向Ｄ２の両方に直交する方向である。本実施の形態において、第３方向Ｄ３は、空気清浄装置２００の前後方向である。空気清浄装置２００が室内機本体１１０に収納されたとき、空気清浄装置２００の前後方向は、室内機本体１１０の前後方向と一致する。
【００６７】
前述したように、空気清浄装置２００は、熱交換器１３１，１３２の手前で、熱交換器１３１，１３２から離れた位置に配置される。この位置では、空気が垂直に流れる。また、前述したように、空気清浄装置２００は、空気清浄装置２００の長手方向が水平になる向きで室内機本体１１０に装着される。平板状電極２１７の板面が延びる方向と第１板状電極２２３の板面が延びる方向と第２板状電極２２４の板面が延びる方向は、いずれも第２方向Ｄ２であるから、空気清浄装置２００が室内機本体１１０に装着されたとき、平板状電極２１７の板面が延びる方向と第１板状電極２２３の板面が延びる方向と第２板状電極２２４の板面が延びる方向は、いずれも垂直になる。即ち、空気清浄装置２００が室内機本体１１０に装着されたとき、平板状電極２１７の板面と第１板状電極２２３の板面と第２板状電極２２４の板面は、いずれも空気が流れる方向に沿って延びていることになる。このため、平板状電極２１７と第１板状電極２２３と第２板状電極２２４とが空気の流れを妨げにくくなり、空気調和機の効率が上がる。
【００６８】
なお、第１板状電極２２３の枚数は、適宜変更することができる。第２板状電極２２４の枚数は、第１板状電極２２３の枚数に応じて変更することができる。
【００６９】
集塵部２２０は、異なる電圧をそれぞれ第１端子２２７と第２端子２２８とを介して第１電極２２１と第２電極２２２とに印加することで静電気力を発生させる。集塵部２２０は、この静電気力によって、荷電部２１０で帯電した粒子を集める。
【００７０】
第１電極２２１に印加される電圧は、高圧である。具体的には、６０００ボルトの電圧が第１電極２２１に印加される。第２電極２２２に印加される電圧は、低圧である。具体的には、０ボルトの電圧が第２電極２２２に印加される。即ち、第２電極２２２は接地される。
【００７１】
このように、集塵部２２０の第１電極２２１に印加される電圧は、荷電部２１０の放電電極２１１に印加される電圧と同じである。そのため、本実施の形態では、集塵部２２０の第１端子２２７と荷電部２１０のリング状端子２１３とが電気的に接続される。具体的には、集塵部２２０の第１端子２２７に１対の切り欠き２２９が設けられる。一方の切り欠き２２９には、荷電部２１０の一方のリング状端子２１３が引っ掛けられる。他方の切り欠き２２９には、荷電部２１０の他方のリング状端子２１３に引っ掛けられたバネ２１６が引っ掛けられる。これにより、共通の電源から集塵部２２０の第１電極２２１と荷電部２１０の放電電極２１１とに電圧を印加することができる。
【００７２】
また、集塵部２２０の第２電極２２２に印加される電圧は、荷電部２１０の対向電極２１２に印加される電圧と同じである。そのため、本実施の形態では、集塵部２２０の第２電極２２２と荷電部２１０の対向電極２１２とが一体成形される。即ち、集塵部２２０の第２端子２２８が、荷電部２１０の対向電極２１２に電圧を印加するための端子としても用いられる。これにより、共通の電源から集塵部２２０の第２電極２２２と荷電部２１０の対向電極２１２とに電圧を印加することができる。また、部品点数を削減することができる。なお、集塵部２２０の第２電極２２２と荷電部２１０の対向電極２１２とが別々に形成されてもよい。この場合、集塵部２２０の第２電極２２２と荷電部２１０の対向電極２１２とが互いに電気的に接続されてもよいし、別々に給電されてもよい。
【００７３】
第１電極２２１は、通電性を有するとともに抵抗値が１０１１Ω／ｃｍ２（オーム毎平方センチメートル）以下の帯電防止樹脂で形成される。第２電極２２２は、樹脂に金属メッキを施して形成される。なお、第２電極２２２は、ステンレス等の金属板で形成されてもよいし、カーボンを練り込んだ抵抗値が１０３Ω／ｃｍ２以下の導電樹脂で形成されてもよい。第１電極２２１に取り付けられる第１端子２２７と、第２電極２２２に取り付けられる第２端子２２８は、金属で形成される。放電電極２１１のリング状端子２１３と、ワイヤー２１５と、バネ２１６も、金属で形成される。放電電極２１１のチューブ２１４は、樹脂である外層と、接着剤である内層との２層構造である。
【００７４】
本実施の形態において、第１端子２２７は、第１電極２２１の第１方向Ｄ１の一端から第１電極２２１の第３方向Ｄ３の両端の範囲内で延びる。即ち、第１端子２２７は、第３方向Ｄ３において、第１電極２２１の両側にはみ出さない。同じように、第２端子２２８は、第２電極２２２の第１方向Ｄ１の一端から第２電極２２２の第３方向Ｄ３の両端の範囲内で延びる。即ち、第２端子２２８は、第３方向Ｄ３において、第２電極２２２の両側にはみ出さない。このため、第３方向Ｄ３における空気清浄装置２００の大きさを小さくすることができる。
【００７５】
第１端子２２７は、第１電極２２１の第１方向Ｄ１の一端に設けられた第１給電部２７３に取り付けられる。第１給電部２７３は、第１電極２２１の第１方向Ｄ１の一端面において第３方向Ｄ３の両端にある辺と離れた位置から第１方向Ｄ１の外側に延びる。本実施の形態では、第１電極２２１の右端面が、２つの長辺と２つの短辺とからなる矩形状であり、２つの短辺が、第３方向Ｄ３の両端にある辺に相当する。即ち、本実施の形態では、第１給電部２７３が、第１電極２２１の右端面において短辺以外の位置から右側に延びる。このため、第１端子２２７を介して印加される電圧は、第１電極２２１の右端面の短辺ではなく、第１電極２２１の右端面の短辺とは離れた位置から第１電極２２１の右端面に印加される。よって、第１電極２２１の前面側と背面側とに印加される電圧の偏りを減らすことができる。即ち、第１電極２２１の第３方向Ｄ３における電位の分布を均一に近づけることができる。
【００７６】
第２端子２２８は、第２電極２２２の第１方向Ｄ１の一端に設けられた第２給電部２７４に取り付けられる。第１給電部２７３が設けられた第１電極２２１の第１方向Ｄ１の一端は、第２電極２２２の第１方向Ｄ１の一端よりも第１方向Ｄ１の外側にある。第２給電部２７４は、第２電極２２２の第１方向Ｄ１の一端面から第１方向Ｄ１の外側に延び、第１電極２２１の第１方向Ｄ１の一端から第２方向Ｄ２に離れた位置を通る。本実施の形態では、第１電極２２１の第１方向Ｄ１の一端である右端が、第１連結部材２２５の右端によって形成される。また、第２電極２２２の第１方向Ｄ１の一端である右端が、最も右側にある第２板状電極２２４と、第２連結部材２２６の右端と、対向電極２１２の右端とによって形成される。第１連結部材２２５の右端と、最も右側にある第１板状電極２２３との間には、隙間２７５が形成される。最も右側にある第２板状電極２２４が隙間２７５に挿入されることで、第１連結部材２２５の右端が、最も右側にある第２板状電極２２４よりも右側になる。即ち、第１電極２２１の右端が、第２電極２２２の右端よりも空気清浄装置２００の左右方向の外側になる。第２給電部２７４は、最も右側にある第２板状電極２２４の板面と第２連結部材２２６の右端面との少なくともいずれかから右側に延び、第１連結部材２２５の右端の上を通る。即ち、本実施の形態では、第２給電部２７４が、第２電極２２２の右端面から空気清浄装置２００の左右方向の外側に延び、第１電極２２１の右端から空気清浄装置２００の上下方向に離れた位置を通る。このため、第１端子２２７を第１電極２２１の前面に接続したり、第２端子２２８を第２電極２２２の前面に接続したりせず、第２端子２２８を第２電極２２２の右端面に接続しながら、第１端子２２７を第１電極２２１の右端面に接続することができる。よって、第３方向Ｄ３における空気清浄装置２００の大きさを小さくすることができる。
【００７７】
なお、第１電極２２１が帯電防止樹脂で形成されるため、第２給電部２７４が第１電極２２１の右端の近くを通っても、スパークは生じない。したがって、第２給電部２７４が第１電極２２１の右端の近傍を通る構成を採用することで、第２方向Ｄ２における空気清浄装置２００の大きさも小さくすることができる。
【００７８】
第１端子２２７は、第１延部２５１と、第１曲部２５３と、第１端部２５５と、第３曲部２５７と、１対の立部２５８とを有する。第１延部２５１は、第１電極２２１の第１方向Ｄ１の一端から延びる部分である。第１曲部２５３は、第１延部２５１から第３方向Ｄ３に曲がる部分である。第１端部２５５は、第１曲部２５３から延びる部分である。第１端部２５５は、厚さを第１方向Ｄ１にもつ平板形状である。第１端部２５５は、給電用の板面２７１を有する。第３曲部２５７は、第１端部２５５の上端から第１方向Ｄ１に曲がる部分である。立部２５８は、第３曲部２５７から立ち上がる部分である。それぞれの立部２５８には、前述した切り欠き２２９が設けられる。
【００７９】
第２端子２２８は、第２延部２５２と、第２曲部２５４と、第２端部２５６とを有する。第２延部２５２は、第２電極２２２の第１方向Ｄ１の一端から延びる部分である。第２曲部２５４は、第２延部２５２から第２方向Ｄ２に曲がる部分である。第２端部２５６は、第２曲部２５４から延びる部分である。第２端部２５６は、厚さを第１方向Ｄ１にもつ平板形状である。第２端部２５６は、給電用の板面２７２を有する。第２端部２５６は、第１端部２５５と間隔を空けて第１方向Ｄ１に並ぶ。この間隔は、水滴が空気清浄装置２００の内部に浸入してもトラッキングが発生しないように広くすることが望ましく、具体的には、２センチメートル以上の幅があることが望ましい。
【００８０】
枠部２３０は、上枠２３１と、下枠２３２とを有する。
【００８１】
前述したように、空気清浄装置２００は、熱交換器１３１，１３２の手前で、熱交換器１３１，１３２から離れた位置に配置される。この位置では、空気が垂直に流れる。また、前述したように、空気清浄装置２００は、空気清浄装置２００の長手方向が水平になる向きで室内機本体１１０に装着される。上枠２３１の前面及び背面が延びる方向と下枠２３２の前面及び背面が延びる方向は、いずれも第２方向Ｄ２である。よって、空気清浄装置２００が室内機本体１１０に装着されたとき、上枠２３１の前面及び背面が延びる方向と下枠２３２の前面及び背面が延びる方向は、いずれも垂直になる。即ち、空気清浄装置２００が室内機本体１１０に装着されたとき、上枠２３１の前面及び背面と下枠２３２の前面及び背面は、いずれも空気が流れる方向に沿って延びていることになる。このため、上枠２３１の外郭と下枠２３２の外郭とが空気の流れを妨げにくくなり、空気調和機の効率が上がる。また、上枠２３１の背面と下枠２３２の背面とが垂直な面であるため、空気清浄装置２００を熱交換器１３１，１３２の手前にコンパクトに収納することができる。即ち、室内機本体１１０の奥のスペースを有効活用することができる。
【００８２】
上枠２３１の前面には、取っ手２３３が設けられる。上枠２３１の上面には、開口２３４が設けられる。開口２３４には、プレフィルター２４０が嵌る。
【００８３】
下枠２３２の下面には、リブ２３５と、開口２３６とが設けられる。リブ２３５の上面には、スリット２３７がある。本実施の形態では、スリット２３７が第２方向Ｄ２に貫通しない。即ち、スリット２３７は、底面がある溝である。開口２３６は、リブ２３５によって少なくとも一部が分断される。本実施の形態では、開口２３６が、リブ２３５によって完全に分断される。即ち、リブ２３５が、開口２３６を横断する。リブ２３５の横断方向は、第３方向Ｄ３である。本実施の形態において、リブ２３５の本数は、１本である。
【００８４】
リブ２３５のスリット２３７には、複数の第１板状電極２２３のうち、いずれかの第１板状電極２２３の少なくとも一部が嵌まる。開口２３６は、複数の第１板状電極２２３のうち、残りの第１板状電極２２３をリブ２３５の両側で露出する。本実施の形態では、複数の第１板状電極２２３のうち、中央にある第１板状電極２２３の少なくとも一部がリブ２３５のスリット２３７に嵌る。具体的には、中央の第１板状電極２２３の下端部がリブ２３５のスリット２３７に嵌る。これにより、第１電極２２１が位置決めされる。
【００８５】
前述したように、集塵部２２０において、複数の第２板状電極２２４は、複数の第１板状電極２２３と間隔を空けて交互に並ぶ。よって、開口２３６は、さらに、複数の第２板状電極２２４をリブ２３５の両側で露出する。
【００８６】
なお、リブ２３５のスリット２３７に嵌る板状電極は、第１板状電極２２３に限らず、第２板状電極２２４であってもよい。
【００８７】
また、リブ２３５の本数は、適宜変更することができる。２本のリブ２３５が設けられる場合には、２つの第１板状電極２２３の少なくとも一部がそれぞれ２本のリブ２３５のスリット２３７に嵌ってもよいし、１つの第１板状電極２２３の少なくとも一部と１つの第２板状電極２２４の少なくとも一部とがそれぞれ２本のリブ２３５のスリット２３７に嵌ってもよいし、２つの第２板状電極２２４の少なくとも一部がそれぞれ２本のリブ２３５のスリット２３７に嵌ってもよい。
【００８８】
スリット２３７は、第２方向Ｄ２に貫通してもよい。即ち、スリット２３７は、底面がない穴でもよい。スリット２３７が溝と穴とのいずれであっても、スリット２３７には２つの内壁面が形成される。
【００８９】
スリット２３７の両方の内壁面が平らである場合、内壁面同士の間隔は、挿入される板状電極の厚みと同じか、又は、挿入される板状電極の厚みよりも大きい必要がある。間隔が板状電極の厚みと同じであれば、両方の内壁面によって板状電極を挟むことにより、板状電極を固定することができる。
【００９０】
スリット２３７の一方の内壁面が平らでも、他方の内壁面に１つ又は複数の突起がある場合、一方の内壁面と他方の内壁面の突起との間の間隔は、挿入される板状電極の厚みと同じか、又は、挿入される板状電極の厚みよりも大きい必要がある。間隔が板状電極の厚みと同じであれば、一方の内壁面と他方の内壁面の突起とによって板状電極を挟むことにより、板状電極を固定することができる。
【００９１】
スリット２３７の両方の内壁面が平らでなく、両方の内壁面に１つ又は複数の突起がある場合、一方の内壁面の突起と他方の内壁面の突起との間の間隔は、挿入される板状電極の厚みと同じか、又は、挿入される板状電極の厚みよりも大きい必要がある。間隔が板状電極の厚みと同じであれば、両方の内壁面の突起によって板状電極を挟むことにより、板状電極を固定することができる。
【００９２】
本実施の形態において、リブ２３５の一側面には、突起２３８がある。突起２３８には、複数の第２板状電極２２４のうち、いずれかの第２板状電極２２４の側面が当たる。本実施の形態では、中央の第１板状電極２２３の左隣にある第２板状電極２２４の側面がリブ２３５の一側面の突起２３８に当たる。これにより、第２電極２２２も位置決めされる。
【００９３】
リブ２３５の一側面の突起２３８は、リブ２３５の一側面の少なくとも２箇所にあることが望ましい。本実施の形態では、突起２３８が、リブ２３５の一側面の２箇所にある。
【００９４】
本実施の形態において、リブ２３５の他側面には、リブ２３５の一側面と同じように、突起２３９がある。突起２３９には、複数の第２板状電極２２４のうち、他のいずれかの第２板状電極２２４の側面が当たる。本実施の形態では、中央の第１板状電極２２３の右隣にある第２板状電極２２４の側面がリブ２３５の他側面の突起２３９に当たる。これにより、第２電極２２２が確実に位置決めされる。
【００９５】
リブ２３５の他側面の突起２３９も、リブ２３５の他側面の少なくとも２箇所にあることが望ましい。本実施の形態では、突起２３９が、リブ２３５の他側面の２箇所にある。
【００９６】
枠部２３０は、さらに、中枠２５９を有する。
【００９７】
中枠２５９は、下枠２３２の上面において、第１方向Ｄ１の一端側に嵌められる。具体的には、中枠２５９は、開口２３６の縁から下枠２３２の第１方向Ｄ１の一端までを覆うように、下枠２３２に被せられる。これにより、第１端子２２７と第２端子２２８とが中枠２５９で覆われる。
【００９８】
図示していないが、中枠２５９の下面には、凸部が設けられる。この凸部は、第１方向Ｄ１に並ぶ第１端子２２７の第１端部２５５と第２端子２２８の第２端部２５６との間を塞ぐ。これにより、水滴が空気清浄装置２００の内部に浸入してきても、第１端子２２７と第２端子２２８との間でトラッキングが発生することを防止できる。
【００９９】
本実施の形態において、下枠２３２には、第１端子２２７の第１端部２５５が第２方向Ｄ２に貫通する第１穴２６１と、第２端子２２８の第２端部２５６が第２方向Ｄ２に貫通する第２穴２６２とが設けられる。第２穴２６２は、第１穴２６１から隔てられる。第１端部２５５と第２端部２５６との間の間隔について述べたように、第１穴２６１と第２穴２６２との間の間隔も、トラッキングが発生しないように広くすることが望ましい。
【０１００】
下枠２３２には、さらに、第１穴２６１につながり、第２穴２６２から隔てられた溝２６３が設けられる。この溝２６３には、第１端子２２７の第１延部２５１が嵌る。なお、本実施の形態において、第１端子２２７の第１曲部２５３は、第１端部２５５とともに第１穴２６１を貫通するが、第１延部２５１とともに溝２６３に嵌っていてもよい。
【０１０１】
下枠２３２の下面において、第１穴２６１の手前には、隔壁である第１制限部２７７が設けられる。第２穴２６２の手前には、第３方向Ｄ３における壁面の位置が第１制限部２７７と同じ隔壁である第２制限部２７８が設けられる。第１制限部２７７と第２制限部２７８との機能については、後述する。
【０１０２】
図９から図２３を参照して、フィルター清掃装置３００の構成について説明する。
【０１０３】
前述したように、フィルター清掃装置３００は、装置本体３１０と、ダストボックス３２０とを備える。
【０１０４】
図９に示すように、装置本体３１０の前面下部には、電源部４００が固定される。電源部４００は、静電気力を発生させるための電圧を空気清浄装置２００の集塵部２２０に印加する。
【０１０５】
上記のように、本実施の形態において、空気調和機の室内機１００は、さらに、電源部４００を備える。室内機本体１１０は、電源部４００を前面下部に収納する。
【０１０６】
図１０は、左側のダストボックス３２０が取り外されたフィルター清掃装置３００を示した図である。
【０１０７】
装置本体３１０の一部は、支持部５００を形成する。支持部５００は、空気清浄装置２００を支持する。
【０１０８】
上記のように、本実施の形態において、空気調和機の室内機１００は、さらに、支持部５００を備える。室内機本体１１０は、支持部５００を収納するとともに、空気清浄装置２００を支持部５００により支持して収納する。
【０１０９】
装置本体３１０の別の一部は、主受け部３１５を形成する。主受け部３１５は、ダストボックス３２０を支持する。
【０１１０】
装置本体３１０のさらに別の一部は、隔壁である制限部１７０を形成する。前述したように、制限部１７０は、空気清浄装置２００が室内機本体１１０の奥行き方向に進入できる範囲を制限する。本実施の形態において、制限部１７０は、室内機本体１１０の奥行き方向だけでなく、室内機本体１１０の左右方向に空気清浄装置２００が移動できる範囲も制限する構造である。装置本体３１０には、室内機本体１１０の左右方向にフィルター１４０が移動できる範囲を制限する機構も備えられる。制限部１７０は、この機構の下方に位置する。この機構によってフィルター１４０の移動が制限される範囲と、制限部１７０によって空気清浄装置２００の移動が制限される範囲は、同じであることが望ましい。即ち、制限部１７０は、空気清浄装置２００が室内機本体１１０の左右方向に移動できる範囲を、フィルター１４０が室内機本体１１０の左右方向に移動できる範囲と同じ範囲に制限することが望ましい。フィルター１４０の左右方向の大きさと空気清浄装置２００の左右方向の大きさとが同じであれば、フィルター１４０の位置と空気清浄装置２００の位置とを合わせることで、フィルター１４０を通過した空気を効率的に空気清浄装置２００に流すことができる。また、垂直に流れる風の障害物となる上記機構の右端と制限部１７０の右端とを上下に並べることで、水平方向において障害物が存在する範囲を小さくすることができる。
【０１１１】
電源部４００の少なくとも一部は、支持部５００の真下に配置される。これにより、後述する電源部４００から支持部５００への配線を短くすることができる。電源部４００から空気清浄装置２００の集塵部２２０には高い電圧が印加されるため、高価なケーブルによる配線が必要となる。したがって、配線を短くできれば、コスト削減の効果が得られる。なお、電源部４００が支持部５００の下に配置されていなくても、電源部４００が支持部５００の近傍に配置されていれば、同じような効果を得ることができる。したがって、本実施の形態のように、空気清浄装置２００が左側のフィルター清掃装置３００の右端で保持される場合には、電源部４００が左側のフィルター清掃装置３００の右端の近傍に配置されることが望ましい。本実施の形態では、電源部４００が、左側のフィルター清掃装置３００の右端の近傍に相当する室内機本体１１０の左右方向の中央に配置されている。空気清浄装置２００が右側のフィルター清掃装置３００の左端で保持される場合には、電源部４００が右側のフィルター清掃装置３００の左端の近傍に配置されることが望ましい。室内機本体１１０の左右方向の中央は、右側のフィルター清掃装置３００の左端の近傍にも相当する。空気清浄装置２００が左側のフィルター清掃装置３００の左端で保持される場合には、電源部４００が左側のフィルター清掃装置３００の左端の近傍に配置されることが望ましい。室内機本体１１０の左端は、左側のフィルター清掃装置３００の左端の近傍に相当する。空気清浄装置２００が右側のフィルター清掃装置３００の右端で保持される場合には、電源部４００が右側のフィルター清掃装置３００の右端の近傍に配置されることが望ましい。室内機本体１１０の右端は、右側のフィルター清掃装置３００の右端の近傍に相当する。
【０１１２】
前述したように、装置本体３１０の前面には、空気清浄装置２００とダストボックス３２０との両方が挿入される挿入口３１１が設けられる。支持部５００は、この挿入口３１１の右端から、室内機本体１１０の奥行き方向に進んだ位置までの範囲に配置される。室内機本体１１０の奥行き方向に進んだ位置とは、具体的には、下段の熱交換器１３２の手前の位置である。即ち、本実施の形態では、支持部５００が、装置本体３１０の前面から熱交換器１３２に向かって延びつつ、熱交換器１３２とは非接触である。このため、支持部５００によって熱交換器１３２が傷つけられない。また、支持部５００が空気の流れを妨げにくい。さらに、支持部５００から突き出す、後述する端子等の金属部分が冷えにくい。その端子等に接触する空気清浄装置２００の端子等の金属部分も冷えにくい。また、支持部５００に熱交換器１３１，１３２の結露水が流れてこない。よって、支持部５００及び空気清浄装置２００に結露が発生しにくい。なお、支持部５００は、挿入口３１１の左端から、室内機本体１１０の奥行き方向に進んだ位置までの範囲に配置されてもよい。その場合、支持部５００の位置に合わせて、電源部４００の位置を変更することが望ましい。即ち、電源部４００の少なくとも一部を支持部５００の真下に配置することが望ましい。
【０１１３】
支持部５００は、主受け部３１５に隣接する補助受け部５０１を有する。補助受け部５０１は、主受け部３１５とともにダストボックス３２０を支持する。
【０１１４】
主受け部３１５及び補助受け部５０１の上面は、挿入口３１１の下側の壁面を形成する。この壁面、即ち、主受け部３１５及び補助受け部５０１の上面にダストボックス３２０が載せられることで、ダストボックス３２０が支持される。主受け部３１５の上面を側方から見たときの稜線と、補助受け部５０１の上面を側方から見たときの稜線は、形状が同じである。
【０１１５】
なお、本実施の形態において、支持部５００は、主受け部３１５及び装置本体３１０の他の構成要素とは別体の要素として製作されるが、主受け部３１５と一体に成形されてもよいし、装置本体３１０の他の構成要素と一体に成形されてもよい。
【０１１６】
図１１は、フィルター清掃装置３００の装置本体３１０から取り外された電源部４００と支持部５００とを前面側の斜め上から見た図である。図１２は、電源部４００と支持部５００とを分離し、さらに、図１１のＢ−Ｂ線で切断した断面を示した図である。図１３は、分解された電源部４００と支持部５００とを前面側の斜め上から見た図である。図１４は、電気的に接続される直前の第１端子２２７、第２端子２２８、後述する第３端子４１１、後述する第４端子４１２、及び、周辺部分を示した図である。なお、図１４では、説明の便宜上、各端子が見えるように、空気清浄装置２００の枠部２３０を取り外している。
【０１１７】
支持部５００は、上面５１０を有する。上面５１０は、空気清浄装置２００が室内機本体１１０に収納される際に、空気清浄装置２００が載る面である。上面５１０には、第３穴５１１と第４穴５１２との２つの穴が設けられる。
【０１１８】
電源部４００は、固定枠４０１と、変換器４０３と、絶縁枠４０４と、金属カバー４０５とを有する。電源部４００には、１対の電線４０２を介して第３端子４１１と第４端子４１２とが取り付けられる。
【０１１９】
固定枠４０１は、電源部４００をフィルター清掃装置３００の装置本体３１０に固定するための枠である。固定枠４０１の上部には、第３端子４１１と第４端子４１２とを収納する空間が形成され、その空間を塞ぐように支持部５００が嵌め込まれる。
【０１２０】
電線４０２は、それぞれ変換器４０３を第３端子４１１と第４端子４１２とに電気的に接続する。
【０１２１】
変換器４０３は、固定枠４０１に取り付けられる。変換器４０３は、図示していない電線を介して、空気調和機の室内機１００の外部から供給される電力を所望の直流電力に変換する。本実施の形態において、変換器４０３は、商用電源から印加される交流電圧を直流電圧に変換し、得られた直流電圧を、電線４０２、第３端子４１１、第４端子４１２を介して空気清浄装置２００の第１電極２２１と第２電極２２２とに印加する。
【０１２２】
絶縁枠４０４は、変換器４０３を覆う。
【０１２３】
金属カバー４０５は、絶縁枠４０４に被せられる。
【０１２４】
第３端子４１１と第４端子４１２は、それぞれ第３穴５１１と第４穴５１２とから突き出す。空気清浄装置２００が支持部５００の上面５１０に載っている場合、第３端子４１１と第４端子４１２は、それぞれ空気清浄装置２００の第１端子２２７と第２端子２２８とに接触する。電源部４００は、異なる電圧をそれぞれ第３端子４１１と第４端子４１２とを介して第１端子２２７と第２端子２２８とに印加する。本実施の形態では、６０００ボルトの電圧が第３端子４１１を介して第１端子２２７に印加され、０ボルトの電圧が第４端子４１２を介して第２端子２２８に印加される。
【０１２５】
第３端子４１１及び第４端子４１２のそれぞれの形状、大きさ、向き、位置は、適宜変更することができるが、以下では、本実施の形態で採用している形状、大きさ、向き、位置について説明する。
【０１２６】
第４端子４１２の穴から突き出した部分は、第３端子４１１の穴から突き出した部分と間隔を空けて室内機本体１１０の左右方向に並ぶことが望ましい。本実施の形態では、第４端子４１２の第４穴５１２から突き出した部分が、第３端子４１１の第３穴５１１から突き出した部分と間隔を空けて室内機本体１１０の左右方向に並ぶ。このため、空気清浄装置２００を室内機本体１１０に装着する際に、第１端子２２７と第２端子２２８とをそれぞれ第３端子４１１と第４端子４１２とに接触させる作業が簡単である。
【０１２７】
同様に、第４穴５１２も、第３穴５１１と間隔を空けて室内機本体１１０の左右方向に並ぶことが望ましい。
【０１２８】
前述したように、本実施の形態では、第２端子２２８の第２端部２５６が、第１端子２２７の第１端部２５５と間隔を空けて室内機本体１１０の左右方向に並ぶ。第１端部２５５は、厚さを室内機本体１１０の左右方向にもつ平板形状であり、板面２７１を有する。第２端部２５６も、厚さを室内機本体１１０の左右方向にもつ平板形状であり、板面２７２を有する。第２端部２５６は、第１端部２５５と厚さ方向が同じであるから、図５に示したように、第２端部２５６の板面２７２は、第１端部２５５の板面２７１と平行である。第１端部２５５の板面２７１と第２端部２５６の板面２７２とが延びる方向は、いずれも室内機本体１１０の前後方向及び上下方向である。第３端子４１１と第４端子４１２は、それぞれ第１端部２５５の板面２７１と第２端部２５６の板面２７２とに接触する。空気清浄装置２００が支持部５００に載せられる過程で移動する方向は、室内機本体１１０の前後方向及び上下方向であり、板面２７１，２７２が延びる方向と同じであるため、第３端子４１１と第４端子４１２をそれぞれ板面２７１，板面２７２に接触させながら、空気清浄装置２００を移動させることができる。よって、空気清浄装置２００を室内機本体１１０にスムーズに取り付けることができる。
【０１２９】
本実施の形態では、第１端部２５５と第２端部２５６との間の間隔の長さが、第３端子４１１の第３穴５１１から突き出した部分と第４端子４１２の第４穴５１２から突き出した部分との間の間隔の長さに合わせられる。
【０１３０】
第４端子４１２の穴から突き出した部分は、第３端子４１１の穴から突き出した部分と室内機本体１１０の前後方向において同じ位置にあることが望ましい。本実施の形態では、第４端子４１２の第４穴５１２から突き出した部分が、第３端子４１１の第３穴５１１から突き出した部分と室内機本体１１０の前後方向において同じ位置にある。このため、空気清浄装置２００を室内機本体１１０に装着する際に、第１端子２２７と第２端子２２８とを第３端子４１１と第４端子４１２とに接触させる作業が簡単である。
【０１３１】
同様に、第４穴５１２も、第３穴５１１と室内機本体１１０の前後方向において同じ位置に設けられる。
【０１３２】
本実施の形態では、第２端部２５６の板面２７２が、第１端部２５５の板面２７１と室内機本体１１０の前後方向の同じ位置まで延びる。よって、第３端子４１１と第４端子４１２とをそれぞれ第１端部２５５の板面２７１と第２端部２５６の板面２７２とに同時に接触させやすい。
【０１３３】
第１端子２２７は、室内機本体１１０の左右方向において空気清浄装置２００の片側の端部にあることが望ましい。第２端子２２８は、室内機本体１１０の左右方向において空気清浄装置２００の第１端子２２７と同じ側の端部にあることが望ましい。本実施の形態では、第１端子２２７と第２端子２２８との両方が、空気清浄装置２００の右端部にある。このため、第１端部２５５と第２端部２５６との間の間隔を狭くすることができる。第３端子４１１の第３穴５１１から突き出した部分と第４端子４１２の第４穴５１２から突き出した部分との間の間隔も狭くすることができる。よって、第３端子４１１と第４端子４１２とをそれぞれ第１端部２５５の板面２７１と第２端部２５６の板面２７２とに同時に接触させやすい。
【０１３４】
第３端子４１１と第４端子４１２との少なくともいずれかは、上面５１０の穴から上面５１０に対して斜めに突き出すことが望ましい。本実施の形態では、第３端子４１１と第４端子４１２とが、それぞれ第３穴５１１と第４穴５１２とから上面５１０に対して斜めに突き出す。具体的には、第３端子４１１と第４端子４１２とが、それぞれ下端から上端に向かって徐々に手前側に突き出すように傾斜する。これにより、空気清浄装置２００を室内機本体１１０に挿入する際に、第１端子２２７と第２端子２２８とを第３端子４１１と第４端子４１２とに接触させやすくなる。特に、本実施の形態では、第１端子２２７の第１端部２５５と、第２端子２２８の第２端部２５６と、第３端子４１１と、第４端子４１２とが、いずれも平板形状であるため、第３端子４１１と第４端子４１２とが傾斜していれば、端子同士の接触が点接触ではなく、線接触になる。各端子の厚さを考慮すれば、端子同士の接触が線接触ではなく、面接触になる。そのため、空気清浄装置２００をスムーズに挿入することができるという効果が得られる。
【０１３５】
支持部５００の上面５１０には、さらに、第１壁５１３と第２壁５１４との２つの壁が設けられる。第１壁５１３と第２壁５１４は、それぞれ第３穴５１１の縁と第４穴５１２の縁とから立ち上がる。具体的には、第１壁５１３と第２壁５１４は、それぞれ第３穴５１１の右側の縁と第４穴５１２の右側の縁とから立ち上がる。
【０１３６】
第１端子２２７が第３端子４１１と第１壁５１３との間に挿入されると、第３端子４１１の上端部が第１壁５１３から離れる方向に弾性変形する。第１端子２２７は、第３端子４１１と第１壁５１３との間に挟まれることで第３端子４１１に接触する。これにより、空気清浄装置２００の第１電極２２１が電源部４００に電気的に接続される。同じように、第２端子２２８が第４端子４１２と第２壁５１４との間に挿入されると、第４端子４１２の上端部が第２壁５１４から離れる方向に弾性変形する。第２端子２２８は、第４端子４１２と第２壁５１４との間に挟まれることで第４端子４１２に接触する。これにより、空気清浄装置２００の第２電極２２２が電源部４００に電気的に接続される。
【０１３７】
第３端子４１１と第４端子４１２との少なくともいずれかは、上面５１０の穴から壁に徐々に近づきながら突き出し、途中で折れ曲がり、壁から徐々に遠ざかりながら突端まで延びる。本実施の形態では、第３端子４１１が、第３穴５１１から第１壁５１３に徐々に近づきながら突き出し、図１２のＣ−Ｃ線を境に折れ曲がり、第１壁５１３から徐々に遠ざかりながら突端まで延びる。第１端子２２７が第３端子４１１と第１壁５１３との間に挿入されると、第３端子４１１の折れ曲がった箇所が第１端子２２７により押圧されることで第３端子４１１の上端部が弾性変形する。第４端子４１２も、第３端子４１１と同じ形状である。第１端子２２７において、第３端子４１１の折れ曲がった箇所を押圧する面は、前述した第１端部２５５の板面２７１である。第２端子２２８において、第４端子４１２の折れ曲がった箇所を押圧する面は、前述した第２端部２５６の板面２７２である。
【０１３８】
支持部５００の上面５１０には、さらに、第３壁５１５と第４壁５１６との２つの壁が設けられる。第３壁５１５と第４壁５１６は、それぞれ第３穴５１１の第１壁５１３とは逆の縁と第４穴５１２の第２壁５１４とは逆の縁とから立ち上がる。具体的には、第３壁５１５と第４壁５１６は、それぞれ第３穴５１１の左側の縁と第４穴５１２の左側の縁とから立ち上がる。第３壁５１５には、第３端子４１１の上端部が第１端子２２７により押圧されて弾性変形したときに第３端子４１１の上端部を格納する窪みが設けられる。同じように、第４壁５１６には、第４端子４１２の上端部が第２端子２２８により押圧されて弾性変形したときに第４端子４１２の上端部を格納する窪みが設けられる。
【０１３９】
支持部５００には、さらに、スリット５２０が設けられる。スリット５２０は、第３穴５１１と第４穴５１２との間で室内機本体１１０の上下方向に貫通する。そのため、上面５１０に水が滴下しても、水が溜まらない。
【０１４０】
なお、本実施の形態において、上面５１０の穴は、第３端子４１１が突き出す第３穴５１１と第４端子４１２が突き出す第４穴５１２とで別々に設けられるが、第３端子４１１と第４端子４１２との両方が突き出す１つの穴であってもよい。
【０１４１】
また、本実施の形態において、上面５１０の壁は、第３穴５１１の縁から立ち上がる第１壁５１３と第４穴５１２の縁から立ち上がる第２壁５１４とで別々に設けられるが、第３穴５１１の縁から第４穴５１２の縁までの領域全体から、或いは、上記１つの穴の縁から立ち上がる１つの壁であってもよい。
【０１４２】
図４に示したように、空気清浄装置２００の下枠２３２には、第１制限部２７７と第２制限部２７８とが設けられる。第１制限部２７７は、空気清浄装置２００が支持部５００の上面５１０に載せられたとき、或いは、空気清浄装置２００が室内機本体１１０の奥行き方向に動かされたときに、第３壁５１５に当たる。これにより、空気清浄装置２００が室内機本体１１０の奥行き方向に移動できる範囲が制限され、空気清浄装置２００と熱交換器１３１，１３２との接触が防止される。同じように、第２制限部２７８は、空気清浄装置２００が支持部５００の上面５１０に載せられたとき、或いは、空気清浄装置２００が室内機本体１１０の奥行き方向に動かされたときに、第２壁５１４と第４壁５１６とに当たる。これにより、空気清浄装置２００が室内機本体１１０の奥行き方向に移動できる範囲が制限され、空気清浄装置２００と熱交換器１３１，１３２との接触が防止される。
【０１４３】
図１０及び図１５に示すように、フィルター清掃装置３００は、フィルター搬送ガイド３１２と、フィルター収納ガイド３１３と、フィルター搬送カバー３３１と、前面フィルターガイド３３２とを備える。
【０１４４】
フィルター搬送ガイド３１２及びフィルター収納ガイド３１３は、装置本体３１０を構成する。フィルター収納ガイド３１３及びフィルター搬送カバー３３１は、フィルター搬送ガイド３１２に設置される。前面フィルターガイド３３２は、フィルター搬送ガイド３１２に設置される。ダストボックス３２０も、フィルター搬送ガイド３１２に設置される。
【０１４５】
フィルター搬送ガイド３１２は、互いに対向した１対の搬送ガイド側板と、搬送ガイド側板から同一面で延長された搬送ガイド縦桟と、搬送ガイド側板同士及び搬送ガイド縦桟同士を連結する搬送ガイド横桟と、搬送ガイド横桟の一部同士を連結する搬送ガイド補強桟とを有する。
【０１４６】
フィルター搬送ガイド３１２の対向する１対の搬送ガイド側板には、両端を回転自在に支持されたフィルター駆動軸が設置される。搬送ガイド側板のフィルター駆動軸が設置されない側には、フィルター駆動軸を回転駆動する駆動モーターが設置される。そして、フィルター１４０に形成されたフィルター従動ラックに噛み合う搬送ギア３３３が、フィルター駆動軸に設置される。
【０１４７】
フィルター搬送ガイド３１２の搬送ガイド縦桟の互いに対向した面には、フィルター１４０の側縁が侵入自在な搬送ガイド溝を形成するための搬送ガイド縦フランジが設置される。
【０１４８】
フィルター搬送カバー３３１は、風路に配置される枠体である。フィルター搬送カバー３３１は、１対の搬送カバー縦桁と、搬送カバー縦桁を連結する搬送カバー横桁と、搬送カバー横桁同士を連結する搬送カバー補強桁とを有する。
【０１４９】
フィルター搬送カバー３３１の搬送カバー縦桁の互いに対向した面には、フィルター１４０の側縁が侵入自在な搬送ガイド溝を形成するための搬送カバー縦フランジが設置される。
【０１５０】
フィルター搬送カバー３３１の搬送カバー縦桁とフィルター搬送ガイド３１２の搬送ガイド縦桟とが接合される。正確には、左側の搬送カバー縦桁が、左側のフィルター搬送ガイド３１２の左側の搬送ガイド縦桟に接合され、右側の搬送カバー縦桁が、右側のフィルター搬送ガイド３１２の右側の搬送ガイド縦桟に接合される。このとき、前者の搬送カバー縦フランジと後者の搬送ガイド縦フランジは、互いに所定の間隔を空けて対向し、その間隔によって、フィルター１４０の側縁が侵入自在な搬送ガイド溝が形成される。搬送カバー補強桁と搬送ガイド補強桟との間にも、フィルター１４０が侵入自在の間隔が形成されるから、搬送カバー補強桁と搬送ガイド補強桟とによって、搬送ガイド溝に相当する案内手段が形成される。
【０１５１】
フィルター収納ガイド３１３は、互いに対向した１対の収納ガイド側板と、収納ガイド側板の一部に形成され、フィルター駆動軸が侵入する収納ガイド切欠部と、収納ガイド側板同士を連結する収納ガイド横桟と、収納ガイド横桟の一部同士を連結する収納ガイド補強桟とを有する。
【０１５２】
フィルター収納ガイド３１３の収納ガイド側板の互いに対向した面には、フィルター１４０の側縁が侵入自在な収納ガイド溝が形成される。収納ガイド溝は、略螺旋状であって、一端が収納ガイド切欠部に近接した直線状部分と、その直線状部分に連続した約一巻き半の略円弧状部分とからなる。
【０１５３】
フィルター１４０は、矩形状のフィルター通気体と、フィルター枠体とから構成される。フィルター通気体は、網状体である。フィルター１４０の外郭を形成する１対のフィルター縦桟の裏面、即ち、フィルター通気体が設置されていない面には、長手方向、即ち、縦方向に等間隔に凹凸のパターンであるフィルター従動ラックが形成される。なお、この凹凸のパターンは、正確な歯形形状に限定されない。
【０１５４】
以下では、フィルター１４０が移動する動作について説明する。
【０１５５】
フィルター搬送ガイド３１２は、室内機本体１１０の前面側の上面寄りで、上面の吸い込み口１１１に沿うように配置される。そして、フィルター搬送ガイド３１２の搬送ガイド側板にフィルター収納ガイド３１３が設置され、フィルター収納ガイド３１３の収納ガイド切欠部が前面寄りの位置に、収納ガイド溝がその後方、即ち、熱交換器１３１寄りに位置する。さらに、フィルター搬送ガイド３１２の搬送ガイド縦桟にフィルター搬送カバー３３１が設置される。
【０１５６】
したがって、フィルター１４０の側縁は、フィルター搬送ガイド３１２の搬送ガイド縦フランジとフィルター搬送カバー３３１の搬送カバー縦フランジとの隙間である搬送ガイド溝に侵入した状態で、フィルター１４０のほとんどの範囲が巻き戻されて拡げられる。このとき、フィルター１４０の一方の端部である先端部は、ダストボックス３２０の上面部と搬送ギア３３３とに挟まれた状態で、側面視において曲率半径の小さな略円弧を呈する。
【０１５７】
搬送ギア３３３が正方向に回転すると、フィルター１４０の両側縁は、収納ガイド溝に向かって送り出される。フィルター１４０の先端部は、初めは、収納ガイド溝の直線状部分により案内されて略直線状に移動するが、収納ガイド溝の略円弧状部分に到達すると、螺旋状に移動する。そして、フィルター１４０の他方の端部である後端部が搬送ギア３３３に近づいたとき、フィルター１４０の大部分が、約一巻き半の略螺旋状に巻かれた状態になる。この移動の間、フィルター１４０のフィルター通気体は、風路の風上側の面にダストボックス３２０の除塵ブラシが当たり、除塵が実行される。
【０１５８】
一方、搬送ギア３３３が逆方向に回転すると、フィルター１４０が巻き戻され、フィルター１４０の両側縁は、搬送ガイド溝に送り出される。フィルター１４０が風路の全域を覆ったところで、搬送ギア３３３の回転が停止する。このとき、フィルター１４０のフィルター従動ラックの一部は、搬送ギア３３３に噛み合う。
【０１５９】
上記のように、装置本体３１０は、空気中の塵埃を捕らえるフィルター１４０を移動自在に収納するが、フィルター１４０は、フィルター清掃装置３００の内部で移動するだけでなく、フィルター清掃装置３００の外部に取り出すこともできる。
【０１６０】
図９及び図１０に示したように、前面フィルターガイド３３２は、装置本体３１０の前面に開閉自在に取り付けられる。
【０１６１】
フィルター搬送ガイド３１２の前面には、フィルター１４０を取り出すための開口部が形成される。前面フィルターガイド３３２は、閉状態において、開口部を覆ってフィルター１４０の移動を案内する。
【０１６２】
フィルター搬送ガイド３１２の開口部より下の位置において、前面フィルターガイド３３２を開閉するための前面フィルターガイド３３２の回転軸が形成される。一方、フィルター搬送カバー３３１の開口部より上の位置において、前面フィルターガイド３３２の閉状態にて前面フィルターガイド３３２の回転中心から遠い側の端部を固定するための固定部３１４が設けられる。よって、前面フィルターガイド３３２の閉状態では、前面フィルターガイド３３２の回転中心に近い側の端部だけでなく、前面フィルターガイド３３２の回転中心から遠い側の端部も装置本体３１０に固定される。このため、本実施の形態によれば、前面フィルターガイド３３２を確実に固定することができる。
【０１６３】
前面フィルターガイド３３２は、開状態にて自重により垂れ下がる。このため、本実施の形態によれば、前面フィルターガイド３３２を開状態に保つために、空気調和機の使用者が前面フィルターガイド３３２を手で支える必要はなく、何らかの固定機構によって前面フィルターガイド３３２が固定されるようになっている必要もない。
【０１６４】
前面フィルターガイド３３２は、室内機本体１１０に取り付けられた前面パネル１５０とフィルター１４０との間に位置する可動部材である。前面フィルターガイド３３２には、フィルター１４０が移動時に接するガイド部が備えられており、フィルター１４０の搬送路となっている。前面フィルターガイド３３２は、空気調和機の使用者がフィルター１４０を容易に取り出せるように、開くことができる。
【０１６５】
前面フィルターガイド３３２とダストボックス３２０は一体となっておらず、別体で形成される。ダストボックス３２０を外した後に生まれるスペース、つまりダストボックス３２０が元々設置されていたスペースには、回転移動した後の前面フィルターガイド３３２が配置される。ダストボックス３２０の上方に前面フィルターガイド３３２を別体に設けることで、両方を効率的に収納できる。また、前面フィルターガイド３３２が回転する際に他の部材に干渉することなく、回転軌跡を確保することができる。
【０１６６】
このように、本実施の形態において、フィルター１４０により捕らえられた塵埃を貯めるダストボックス３２０は、前面フィルターガイド３３２と別体に、フィルター搬送ガイド３１２の前面に着脱自在に取り付けられる。このため、空気調和機の使用者は、ダストボックス３２０に貯まった塵埃を棄てる際にダストボックス３２０のみを取り外せばよく、前面フィルターガイド３３２を取り外す必要はない。なお、前面フィルターガイド３３２は、簡単には取り外せないようにすることが望ましい。
【０１６７】
本実施の形態では、前面フィルターガイド３３２を垂れ下がらせて、フィルター１４０を露出させることにより、特別な固定機構を必要とすることなく、両手で簡単にフィルター１４０を取り出せるようになる。
【０１６８】
図１６は、ダストボックス３２０を前面側の斜め上から見た図である。図１７は、ダストボックス３２０を前面側の斜め下から見た図である。図１８は、ダストボックス３２０を背面側の斜め上から見た図である。図１９及び図２０及び図２１及び図２２は、ダストボックス３２０の異なる断面を示した図である。図２３は、説明のためにダストボックス３２０を切断してダストボックス３２０の下部のみを示した図である。
【０１６９】
ダストボックス３２０は、箱状に組み合わせられた壁板３２１と、両側の壁板３２１に両端を揺動自在に支持された除塵軸３２２と、前側の壁板３２１に取り付けられたストッパー部材３２３とを有する。
【０１７０】
壁板３２１は、塵埃を貯める空間である集塵室３２４を形成する。除塵軸３２２には、図示していない除塵ブラシが取り付けられる。上側の壁板３２１は、上面視で中央が幅方向に開口しており、側面視で略中央に除塵ブラシの先端が貫通するブラシ孔３４１が形成されている。ダストボックス３２０がフィルター搬送ガイド３１２に取り付けられた状態において、除塵軸３２２が揺動すると、除塵ブラシも揺動する。よって、フィルター１４０が除塵ブラシに当たった状態で、除塵ブラシが揺動することで、フィルター１４０に付着している塵埃が掻き落とされる。掻き落とされた塵埃は集塵室３２４に落下し、貯められる。このとき、フィルター１４０が移動するので、フィルター１４０の広い範囲を除塵することができる。
【０１７１】
後側の壁板３２１は、下部が傾斜して斜面部３４２を形成している。この斜面部３４２と下側の壁板３２１とで集塵室３２４の蓋３４３が形成されている。
【０１７２】
ダストボックス３２０は、フィルター搬送ガイド３１２に取り付けられた状態では、ストッパー部材３２３のバネ力によって抜け出し不能に固定されている。空気調和機の使用者は、ストッパー部材３２３をスライドさせることで、ダストボックス３２０を取り外すことができる。そして、蓋３４３を開けることで、集塵室３２４に貯まった塵埃を棄てることができる。
【０１７３】
本実施の形態では、前面フィルターガイド３３２を確実に固定して、フィルター１４０を確実に搬送するために、前面フィルターガイド３３２とダストボックス３２０とを、それぞれ別体とし、前面フィルターガイド３３２に接触して前面フィルターガイド３３２押圧固定するための固定部３４４，３４５をダストボックス３２０に設けている。
【０１７４】
ダストボックス３２０を取り付ける場合は、前面フィルターガイド３３２を装置本体３１０に固定した状態で、後からダストボックス３２０を装着する。スペース効率を高めるために、前面フィルターガイド３３２の回転軌跡は、ダストボックス３２０が装着されるスペースを使用しているため、ダストボックス３２０を外して初めて前面フィルターガイド３３２は回転移動することができる。また、前面フィルターガイド３３２が移動した状態から元の装着位置に戻して初めてダストボックス３２０を装着することができる。したがって、前面フィルターガイド３３２を閉状態とし、後からダストボックス３２０を装着することで固定部３４４，３４５による押圧固定ができる。
【０１７５】
前面フィルターガイド３３２は、ダストボックス３２０に備えられた固定部３４４によって前方から後方に押圧される。固定部３４４は、ダストボックス３２０の背面側で前面フィルターガイド３３２に対向する側にある。ダストボックス３２０の上部には、突出部３４６が備えられる。固定部３４４は、突出部３４６の背面そのものであってもよいが、本実施の形態では、突出部３４６の背面に設けられたリブであり、前面フィルターガイド３３２に接触して前面フィルターガイド３３２を押圧固定する。よって、ダストボックス３２０を装着することで固定部３４４を前面フィルターガイド３３２に前方から接触させて後方に力を加え、前面フィルターガイド３３２を固定できる。
【０１７６】
ダストボックス３２０の上部に突出した突出部３４６に備えられた固定部３４４で前面フィルターガイド３３２を固定することで、幅方向にわたって前面フィルターガイド３３２が固定される。よって、前面フィルターガイド３３２の両サイドだけが固定されて中央部分の固定が甘くなり、中央だけが前後にわずかに動くということがなくなる。そのため、フィルター１４０と搬送ギア３３３の噛み合わせが甘くなり、フィルター１４０が搬送ギア３３３から外れるといった不具合がなくなる。
【０１７７】
ダストボックス３２０の両側は、フィルター搬送ガイド３１２に固定される。この状態では、ダストボックス３２０の天面部の突出部３４６を除く部分である対向部３４７が、前面フィルターガイド３３２の下方に入り込んで前面フィルターガイド３３２に対向している。対向部３４７と突出部３４６との角度は、約９０度である。即ち、対向部３４７と突出部３４６は、側面視でＬ字状に形成されており、前者が前面フィルターガイド３３２に下方から接触し、後者が前面フィルターガイド３３２に前方から接触する。
【０１７８】
このような構成にすることで、小さい必要寸法で前面フィルターガイド３３２とダストボックス３２０とを配置することができる。ダストボックス３２０の対向部３４７が、前面フィルターガイド３３２の下方に入り込むことで上下方向の寸法を小さくできる。ダストボックス３２０の対向部３４７と突出部３４６が、略９０度の角度をなし、突出部３４６が前面フィルターガイド３３２を前方から後方に押圧することで、前後方向の寸法を小さくできる。
【０１７９】
固定部３４４によって、前面フィルターガイド３３２が前後に動かないように前面フィルターガイド３３２を押圧して固定することができるので、搬送ギア３３３からフィルター１４０が外れることがなく、ダストボックス３２０に一体に成形した突出部３４６以外の新たな押さえ部材を不要として、部品点数を増やすことなく安価に、確実にフィルター１４０を搬送するフィルター清掃装置３００を得ることができる。
【０１８０】
前面フィルターガイド３３２は、ダストボックス３２０に備えられた固定部３４５によって下方から上方に押圧されている。固定部３４５は、ダストボックス３２０の上面側で前面フィルターガイド３３２に対向する側にある。固定部３４５は、ダストボックス３２０の対向部３４７の表面そのものであってもよいが、本実施の形態では、対向部３４７の表面に設けられたリブであり、前面フィルターガイド３３２に接触して前面フィルターガイド３３２を押圧固定する。よって、ダストボックス３２０を装着することで固定部３４５を前面フィルターガイド３３２に下方から接触させて上方に力を加え、前面フィルターガイド３３２を固定できる。
【０１８１】
ダストボックス３２０の天面部の対向部３４７に備えられた固定部３４５で前面フィルターガイド３３２を固定することで、幅方向にわたって前面フィルターガイド３３２が固定される。よって、前面フィルターガイド３３２の両サイドだけが固定されて中央部分の固定が甘くなり、中央だけが前後にわずかに動くということがなくなる。そのため、フィルター１４０と搬送ギア３３３の噛み合わせが甘くなり、フィルター１４０が搬送ギア３３３から外れるといった不具合がなくなる。
【０１８２】
固定部３４５によって、前面フィルターガイド３３２が前後に動かないように前面フィルターガイド３３２を押圧して固定することができるので、搬送ギア３３３からフィルター１４０が外れることがなく、新たな押さえ部材を不要として、部品点数を増やすことなく安価に、確実にフィルター１４０を搬送するフィルター清掃装置３００を得ることができる。
【０１８３】
なお、固定部３４４，３４５のいずれか一方が備えられていれば、前述したような効果が得られるが、より大きな効果を得るために、固定部３４４，３４５の両方が備えられていることが望ましい。
【０１８４】
図示していないが、前面フィルターガイド３３２を前方から押すための別の手段として、室内機本体１１０に取り付けられた前面パネル１５０の裏面で前面フィルターガイド３３２に面する部分に突出した押しリブを形成して、この押しリブによって前面フィルターガイド３３２を前方から後方に押圧してもよい。この場合も、新たな押さえ部材を不要として、部品点数を増やすことなく安価に、確実にフィルター１４０を搬送するフィルター清掃装置３００を得ることができる。
【０１８５】
ダストボックス３２０の底面部からは、ダストボックス３２０を持ち上げるための持ち上げリブ３４８が突出している。持ち上げリブ３４８があることで、ダストボックス３２０が寸法のばらつきによって前後に傾くことを防止できる。即ち、ダストボックス３２０が前方に傾くと、固定部３４４によって後方に力を加えにくくなるため、持ち上げリブ３４８を設けることで、そのような事態を防ぐことができる。また、ダストボックス３２０の下面全体をフィルター搬送ガイド３１２の枠に当てるのではなく、持ち上げリブ３４８だけを当てることで、ダストボックス３２０の取り付け時にダストボックス３２０を容易に装着できるようになる。
【０１８６】
持ち上げリブ３４８は、球状とすることが望ましい。持ち上げリブ３４８を球状とすることで、ダストボックス３２０を取り付ける際に持ち上げリブ３４８がフィルター搬送ガイド３１２の枠に引っ掛かりにくくすることができる。よって、装着がスムーズになる。また、持ち上げリブ３４８は、少なくとも２個以上で、ダストボックス３２０の幅方向の両側に設けることが望ましい。このようにすることで、ダストボックス３２０が上下に傾くこともなくなり、幅方向の全体でダストボックス３２０が前後に傾かないようになる。したがって、固定部３４４によって確実に前面フィルターガイド３３２を前方から後方に押圧固定できる。
【０１８７】
このように、本実施の形態において、ダストボックス３２０は、前面フィルターガイド３３２を押圧して前面フィルターガイド３３２を装置本体３１０における前面フィルターガイド３３２の取付位置に固定する。このため、本実施の形態によれば、前面フィルターガイド３３２を確実に固定することができる。
【０１８８】
ダストボックス３２０は、前面フィルターガイド３３２を少なくとも後方に押圧して前面フィルターガイド３３２を取付位置に固定する。具体的には、ダストボックス３２０は、上面に、前面フィルターガイド３３２に対向する対向部３４７と、対向部３４７より前の位置から板状に突出する突出部３４６とが設けられている。ダストボックス３２０は、突出部３４６の厚さ方向の両面のうち一面によって前面フィルターガイド３３２を後方に押圧する。
【０１８９】
ダストボックス３２０は、前面フィルターガイド３３２を少なくとも上方に押圧して前面フィルターガイド３３２を取付位置に固定する。具体的には、ダストボックス３２０は、対向部３４７の表面によって前面フィルターガイド３３２を上方に押圧する。
【０１９０】
ダストボックス３２０は、下面に、フィルター搬送ガイド３１２を押圧する持ち上げリブ３４８が設けられている。持ち上げリブ３４８は、半球状であることが望ましい。また、持ち上げリブ３４８は、ダストボックス３２０の左右方向に沿って複数配置されていることが望ましい。
【０１９１】
本実施の形態において、ダストボックス３２０は、断面が略台形の箱型形状をしている。台形の上辺と下辺は平行であり、上辺が下辺より長い。ダストボックス３２０は、前面パネル１５０と熱交換器１３１，１３２の前後方向の間に設置されている。ダストボックス３２０の前面部は、略平面であり、前面パネル１５０を開いたときに空気調和機の使用者に対して露出する。ダストボックス３２０の下面部は、略平面であり、フィルター搬送ガイド３１２の枠に設置される。ダストボックス３２０の背面部は、下方から上方で後方に向かって斜めに傾斜している。ダストボックス３２０の背面部は、後方に備えられる熱交換器１３１，１３２に対向していて、露出している。
【０１９２】
ダストボックス３２０の背面部が下方から上方で後方に向かって斜めに傾斜することで、下方の後方に生まれたスペースに空気清浄装置２００の一部を収納することができる。したがって、空気調和機の室内機１００の奥行き寸法を小さくすることができる。
【０１９３】
本実施の形態において、フィルター搬送ガイド３１２の一部は、支持部５００を形成する。支持部５００によって、フィルター１４０を通過した空気を清浄化する空気清浄装置２００が着脱自在に保持される。
【０１９４】
空気清浄装置２００は、前面パネル１５０の後方にあるダストボックス３２０のさらに後方で、熱交換器１３１，１３２の前方に設置される。空気調和機の使用者は、空気清浄装置２００を取り出して、洗浄等のメンテナンスを実施することができる。空気調和機の使用者は、空気清浄装置２００の取っ手２３３を手で掴んで空気清浄装置２００を容易に取り出すことができる。
【０１９５】
空気清浄装置２００は、フィルター収納ガイド３１３の下方であって、ダストボックス３２０と熱交換器１３１，１３２との間に配置される。このようにすることで、上方から来る風を通りやすくして、フィルター収納ガイド３１３の下方であってダストボックス３２０と熱交換器１３１，１３２との間のデッドスペースを有効に活用して空気調和機の室内機１００の奥行き寸法及び高さ寸法を小さくできる。
【０１９６】
図２及び図６に示したように、空気清浄装置２００の取っ手２３３の一部は、後方から前方で下方に向かって斜めに傾斜する。この傾斜した部分とダストボックス３２０の斜面部３４２とを略等しい角度で傾斜させることが望ましい。略等しい角度とは、差が３０度以内の角度である。
【０１９７】
空気清浄装置２００を空気調和機の使用者がメンテナンス後に設置しようとする場合、空気調和機の使用者が空気清浄装置２００を途中までしか挿入しなかったり、空気清浄装置２００を置くだけになってしまったりするおそれがある。その場合、空気清浄装置２００の電気的接点がつながらないことによる接続不良又は気中放電による異音発生等の品質低下を招くことになる。
【０１９８】
そこで、本実施の形態では、空気清浄装置２００が正しく装着されていなくても、ダストボックス３２０の斜面部３４２を含む背面部が空気清浄装置２００の取っ手２３３に当たるようにしている。このようにすることで、空気調和機の使用者がダストボックス３２０を取り付ける動作をするだけで、空気調和機の使用者の意図に関係なく、ダストボックス３２０の背面部が取っ手２３３に当たりながら、空気清浄装置２００を後方及び下方に強制的に押し込む。よって、フィルター搬送ガイド３１２に形成された支持部５００に空気清浄装置２００が自動的に装着される。
【０１９９】
ダストボックス３２０の背面部は、背面部全体の長さに対する斜面部３４２の長さの割合が半分以上であると、空気清浄装置２００の取っ手２３３に当たる面積が大きくなり、空気清浄装置２００の取っ手２３３を下方にスライドさせながら、或いは、空気清浄装置２００の取っ手２３３を下方に滑らせながら、確実に下方に導くことができる。
【０２００】
ダストボックス３２０の背面部は、斜面部３４２と、斜面部３４２以外の上下方向に延びた部分の二面以上からなることで、除塵ブラシを集塵室３２４に設置しやすくなる。即ち、ダストボックス３２０の背面部を斜面部３４２の一面のみで形成した場合に比べて、ダストボックス３２０の背面部を二面以上で形成した場合のほうが集塵室３２４の容積を大きくすることができる。
【０２０１】
ダストボックス３２０の背面部の斜面部３４２の高さが、背面部の斜面部３４２以外の部分の高さより高ければ、延出部５２に当たる面積が大きくなる。よって、空気清浄装置２００の取っ手２３３を下方にスライドさせながら、或いは、空気清浄装置２００の取っ手２３３を下方に滑らせながら、確実に下方に導くことができる。
【０２０２】
本実施の形態において、ダストボックス３２０は、空気清浄装置２００を押圧して空気清浄装置２００をフィルター搬送ガイド３１２における空気清浄装置２００の保持位置に固定する。即ち、ダストボックス３２０は、空気清浄装置２００を押圧して空気清浄装置２００を支持部５００に固定する。このため、本実施の形態によれば、空気清浄装置２００をフィルター清掃装置３００の正しい位置に取り付けやすくなる。
【０２０３】
ダストボックス３２０は、背面の少なくとも一部分が斜め下向きに傾斜し、その傾斜した部分である斜面部３４２によって空気清浄装置２００を押圧する。例えば、ダストボックス３２０は、斜面部３４２によって、空気清浄装置２００の前面の下部に設けられた取っ手２３３を後方及び下方に押圧する。
【０２０４】
斜面部３４２の表面積が大きいほど、ダストボックス３２０は、斜面部３４２によって空気清浄装置２００を正しい位置まで確実に押圧することができる。よって、ダストボックス３２０は、背面の斜面部３４２の前後方向の寸法が背面の他の部分の前後方向の寸法より大きいことが望ましい。また、ダストボックス３２０は、背面の斜面部３４２の上下方向の寸法が背面の他の部分の上下方向の寸法より大きいことが望ましい。
【０２０５】
ダストボックス３２０の背面の全体を斜面部３４２としてもよいが、その場合、集塵室３２４の容積が減少してしまう。よって、ダストボックス３２０は、背面の一部に垂直に延びた部分を有することが望ましい。即ち、ダストボックス３２０は、背面の斜面部３４２を除く部分が垂直に延びていることが望ましい。
【０２０６】
本実施の形態では、上記のように、ダストボックス３２０の背面に斜面部３４２があるため、空気清浄装置２００がフィルター搬送ガイド３１２における空気清浄装置２００の保持位置の手前にある状態でダストボックス３２０がフィルター搬送ガイド３１２の前面に取り付けられると、空気清浄装置２００がダストボックス３２０によって正しい保持位置まで押し込まれて固定される。
【０２０７】
＊＊＊効果の説明＊＊＊
本実施の形態では、複数の第１板状電極２２３のうち、いずれかの第１板状電極２２３の少なくとも一部が枠部２３０のスリット２３７に嵌る。これにより、複数の第１板状電極２２３が位置決めされる。したがって、複数の第１板状電極２２３と複数の第２板状電極２２４との間の間隔の均一性が向上する。
【０２０８】
本実施の形態では、第１端子２２７と第２端子２２８とが、複数の第１板状電極２２３と複数の第２板状電極２２４とが並ぶ第１方向Ｄ１の一端、かつ、第１方向Ｄ１と、第１連結部材２２５と第２連結部材２２６とが重なる第２方向Ｄ２との両方に直交する第３方向Ｄ３に離れた位置に取り付けられる。これにより、第１端子２２７と第２端子２２８とを小さなスペースに配置できる。したがって、空気清浄装置２００を小型化できる。
【０２０９】
本実施の形態では、支持部５００の上面５１０に穴が設けられる。電源部４００が有する第３端子４１１と第４端子４１２とが、この穴から突き出す。空気清浄装置２００を支持部５００の上面５１０に載せると、空気清浄装置２００が有する第１端子２２７と第２端子２２８とが、それぞれ第３端子４１１と第４端子４１２とに接触する。これにより、空気清浄装置２００の装着と電気的接続とを同時に行える。したがって、空気清浄装置２００の着脱が簡単になる。
【０２１０】
本実施の形態では、空気清浄装置２００の高さ方向の中心位置が、上段の熱交換器１３１と下段の熱交換器１３２との接続部１３４よりも低い位置である。空気清浄装置２００が空気の流れを妨げにくいため、空気調和機の効率が上がる。
【０２１１】
本実施の形態では、電源部４００が室内機本体１１０の前面下部に収納される。電源部４００が風路内に位置しないため、空気調和機の効率が上がる。
【０２１２】
本実施の形態では、空気清浄装置２００がフィルター清掃装置３００の装置本体３１０の一部により支持される。したがって、空気清浄装置２００を熱交換器１３１，１３２から離して設置することができる。
【０２１３】
本実施の形態では、空気清浄装置２００が空気調和機に組み込まれて使用されるが、同じ構成の空気清浄装置が他の機器に組み込まれて使用されてもよい。他の機器としては、クリーナー、ハンドドライヤー、空気清浄機、加湿機、除湿機、換気扇、エレベーター、冷蔵庫、車、電車等がある。これらの機器が、空気清浄装置を収納する枠体を備え、枠体を用いて空気清浄装置が機器に搭載されることで、空気中に存在する細菌、かび、ウイルス等が効率よく除去又は不活化される。その結果、空気がきれいになり、機器の使用者の快適性が向上する。
【０２１４】
以上、本発明の実施の形態について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【０２１５】
１００  空気調和機の室内機、１１０  室内機本体、１１１  吸い込み口、１１２  吹き出し口、１１３  ドレンパン、１１４  ドレンパン、１２０  送風ファン、１３１  熱交換器、１３２  熱交換器、１３３  熱交換器、１３４  接続部、１４０  フィルター、１５０  前面パネル、１６０  上下風向可変ベーン、１７０  制限部、２００  空気清浄装置、２１０  荷電部、２１１  放電電極、２１２  対向電極、２１３  リング状端子、２１４  チューブ、２１５  ワイヤー、２１６  バネ、２１７  平板状電極、２２０  集塵部、２２１  第１電極、２２２  第２電極、２２３  第１板状電極、２２４  第２板状電極、２２５  第１連結部材、２２６  第２連結部材、２２７  第１端子、２２８  第２端子、２２９  切り欠き、２３０  枠部、２３１  上枠、２３２  下枠、２３３  取っ手、２３４  開口、２３５  リブ、２３６  開口、２３７  スリット、２３８  突起、２３９  突起、２４０  プレフィルター、２５１  第１延部、２５２  第２延部、２５３  第１曲部、２５４  第２曲部、２５５  第１端部、２５６  第２端部、２５７  第３曲部、２５８  立部、２５９  中枠、２６１  第１穴、２６２  第２穴、２６３  溝、２７１  板面、２７２  板面、２７３  第１給電部、２７４  第２給電部、２７５  隙間、２７７  第１制限部、２７８  第２制限部、３００  フィルター清掃装置、３１０  装置本体、３１１  挿入口、３１２  フィルター搬送ガイド、３１３  フィルター収納ガイド、３１４  固定部、３１５  主受け部、３２０  ダストボックス、３２１  壁板、３２２  除塵軸、３２３  ストッパー部材、３２４  集塵室、３３１  フィルター搬送カバー、３３２  前面フィルターガイド、３３３  搬送ギア、３４１  ブラシ孔、３４２  斜面部、３４３  蓋、３４４  固定部、３４５  固定部、３４６  突出部、３４７  対向部、３４８  持ち上げリブ、４００  電源部、４０１  固定枠、４０２  電線、４０３  変換器、４０４  絶縁枠、４０５  金属カバー、４１１  第３端子、４１２  第４端子、５００  支持部、５０１  補助受け部、５１０  上面、５１１  第３穴、５１２  第４穴、５１３  第１壁、５１４  第２壁、５１５  第３壁、５１６  第４壁、５２０  スリット。
【図１】
2016143010.tif 000003
【図２】
2016143010.tif 000004
【図３】
2016143010.tif 000005
【図４】
2016143010.tif 000006
【図５】
2016143010.tif 000007
【図６】
2016143010.tif 000008
【図７】
2016143010.tif 000009
【図８】
2016143010.tif 000010
【図９】
2016143010.tif 000011
【図１０】
2016143010.tif 000012
【図１１】
2016143010.tif 000013
【図１２】
2016143010.tif 000014
【図１３】
2016143010.tif 000015
【図１４】
2016143010.tif 000016
【図１５】
2016143010.tif 000017
【図１６】
2016143010.tif 000018
【図１７】
2016143010.tif 000019
【図１８】
2016143010.tif 000020
【図１９】
2016143010.tif 000021
【図２０】
2016143010.tif 000022
【図２１】
2016143010.tif 000023
【図２２】
2016143010.tif 000024
【図２３】
2016143010.tif 000025
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
空気中の粒子を帯電させる荷電部と、静電気力によって、前記荷電部で帯電した粒子を集める集塵部とを備える空気清浄装置と、
空気中の塵埃を捕らえるフィルターを移動自在に収納する装置本体を備え、前記装置本体の一部が、前記空気清浄装置を支持する支持部を形成するフィルター清掃装置と、
前記フィルター清掃装置を収納するとともに、前記空気清浄装置を前記支持部により支持して収納する室内機本体と
を備える空気調和機。
【請求項２】
空気と冷媒との間で熱交換を行う熱交換器
をさらに備え、
前記支持部は、前記装置本体の前面から前記熱交換器に向かって延びつつ、前記熱交換器とは非接触である請求項１に記載の空気調和機。
【請求項３】
前記室内機本体は、前記空気清浄装置を着脱自在に収納し、
前記空気調和機は、
前記空気清浄装置と前記熱交換器との接触を防止するために、前記空気清浄装置が前記室内機本体の前後方向の奥側に進入できる範囲を制限する制限部
をさらに備える請求項２に記載の空気調和機。
【請求項４】
前記室内機本体は、前記空気清浄装置を着脱自在に収納し、
前記空気調和機は、
前記空気清浄装置が前記室内機本体の左右方向に移動できる範囲を、前記フィルターが前記室内機本体の左右方向に移動できる範囲と同じ範囲に制限する制限部
をさらに備える請求項２に記載の空気調和機。
【請求項５】
前記空気清浄装置の左右方向の大きさは、前記フィルターの左右方向の大きさと同じである請求項４に記載の空気調和機。
【請求項６】
前記フィルター清掃装置は、さらに、前記装置本体の前面に着脱自在に取り付けられ、前記フィルターにより捕らえられた塵埃を貯めるダストボックスを備え、
前記室内機本体は、前記空気清浄装置を前記ダストボックスの後ろに収納している請求項１に記載の空気調和機。
【請求項７】
前記室内機本体は、前記空気清浄装置を着脱自在に収納し、
前記フィルター清掃装置には、前記空気清浄装置と前記ダストボックスとの両方が挿入される挿入口が設けられている請求項６に記載の空気調和機。
【請求項８】
前記支持部は、前記挿入口の左端又は右端から、前記室内機本体の前後方向の奥側に進んだ位置までの範囲に配置されている請求項７に記載の空気調和機。
【請求項９】
前記空気清浄装置は、前記空気清浄装置の長手方向が水平になる向きで前記挿入口に挿入されている請求項７又は８に記載の空気調和機。
【請求項１０】
前記装置本体の別の一部は、前記ダストボックスを支持する主受け部を形成し、
前記支持部は、前記主受け部に隣接し、前記主受け部とともに前記ダストボックスを支持する補助受け部を有し、
前記主受け部及び前記補助受け部の上面は、前記挿入口の下側の壁面を形成している請求項７から９のいずれか１項に記載の空気調和機。
【請求項１１】
前記主受け部の上面を側方から見たときの稜線と、前記補助受け部の上面を側方から見たときの稜線は、形状が同じである請求項１０に記載の空気調和機。
【請求項１２】
前記静電気力を発生させるための電圧を前記集塵部に印加する電源部
をさらに備え、
前記フィルター清掃装置は、前記室内機本体の左右両側に設けられ、
前記空気清浄装置は、左側のフィルター清掃装置の右端と右側のフィルター清掃装置の左端とのいずれかで保持され、
前記電源部は、前記室内機本体の左右方向の中央に配置されている請求項１から１１のいずれか１項に記載の空気調和機。
【請求項１３】
前記静電気力を発生させるための電圧を前記集塵部に印加する電源部
をさらに備え、
前記フィルター清掃装置は、前記室内機本体の左右両側に設けられ、
前記空気清浄装置は、左側のフィルター清掃装置の左端で保持され、
前記電源部は、前記室内機本体の左端に配置されている請求項１から１１のいずれか１項に記載の空気調和機。
【請求項１４】
前記静電気力を発生させるための電圧を前記集塵部に印加する電源部
をさらに備え、
前記フィルター清掃装置は、前記室内機本体の左右両側に設けられ、
前記空気清浄装置は、右側のフィルター清掃装置の右端で保持され、
前記電源部は、前記室内機本体の右端に配置されている請求項１から１１のいずれか１項に記載の空気調和機。
【国際調査報告】
2016143010.tif 000026
2016143010.tif 000027
2016143010.tif 000028
2016143010.tif 000029